(57)【特許請求の範囲】
【請求項１】
ミニディスク等のケースカセット入りディスクを投入可能な挿入口を開口し、内周壁に前記ケースカセットに形成された凹部に係脱自在な突部からなるディスク用ストッパを有してなる箱型のディスク収納ケースにおいて、
前方側を挿入口側とし、外周に沿って左右側壁部および後方壁部を立設したケース本体と、
ケース本体の周壁の後側壁部に薄肉に形成されたヒンジ部を介して一体に連接され、左右側壁部に嵌め込まれる左右側方壁を有する蓋部と、ケース本体に蓋部を係止する係止手段とからなっており、
ディスク用ストッパが、蓋体の左右側方壁に一体に形成されて中央に向かって突設する帯状片からなっており、該帯状片を、左右に設けられた略円弧状の一対の突出基部と中央に設けられて最も内側に突出された円弧状の中央突部とに曲成しており、前記中央突部と突出基部との連接部分を薄肉に設定して中央基部が撓みうるように形成してなり、
前記ディスク挿入時に前記中央突部を撓ませてケースカセット入りディスクの凹部と整合する位置まで通し、該凹部と前記中央突部が整合すると付勢力で突入して係止してなることを特徴とするディスク収納ケース。
【請求項２】
ミニディスク等のケースカセット入りディスクを投入可能な挿入口を開口し、内周壁に前記ケースカセットに形成された凹部に係脱自在な突部からなるディスク用ストッパを有してなる箱型のディスク収納ケースにおいて、
前方側を挿入口側とし、外周に沿って左右側壁部および後方壁部を立設したケース本体と、
ケース本体の周壁の後側壁部に薄肉に形成されたヒンジ部を介して一体に連接され、左右側壁部に嵌め込まれる左右側方壁を有する蓋部と、ケース本体に蓋部を係止する係止手段とからなっており、
ディスク用ストッパが、ケース本体の左右側方壁に一体に形成されて中央に向かって突設する帯状片からなっており、該帯状片を、左右に設けられた略円弧状の一対の突出基部と中央に設けられて最も内側に突出された円弧状の中央突部とに曲成しており、前記中央突部と突出基部との連接部分を薄肉に設定して中央基部が撓みうるように形成してなり、
前記ディスク挿入時に前記中央突部を撓ませてケースカセット入りディスクの凹部と整合する位置まで通し、該凹部と前記中央突部が整合すると付勢力で突入して係止してなることを特徴とするディスク収納ケース。
【請求項３】
側方壁が、蓋体の外周縁より内側で立設し蓋部の先端縁に沿って外向きの段部を有する外向き隆起部を有しており、連結時にこれと対応する周壁の左右側方部に上記段部と係合する内向きの段部を有する内向き隆起部を設けてこれらを係止手段となしており、蓋体とケース本体の連結時に前記外向き隆起部と蓋体の外周縁との間に長手方向に延びる溝部を形成してなることを特徴とする請求項１または２に記載のディスク収納ケース。
【発明の詳細な説明】
【０００１】
【発明の属する技術分野】
本発明は、例えばミニ・ディスクなどのディスク収納ケースに関する。
【０００２】
【従来の技術】
従来、ミニ・ディスク（ＭＤ）用のディスク収納ケースとして、図８に示すようにケース本体３１と、透明な蓋体３２と、ケース本体１の奥側の側壁に対向して取着されるバネ体からなるストッパ３６との３点の部品からなるものが知られている。
これら３点の部品はそれぞれ別個に製造され、後に互いに組込んでディスク収納ケースを完成させるようにしている。
すなわち、まず、ストッパ３６をケース本体１の突当たり壁面３３（ディスクを挿脱するための開口辺と対向する側の辺）の近傍に形成された一対の取付け用ブラケットにそれぞれ嵌合させ、その状態でケース本体３１と蓋体３２とをそれぞれに溝（図示しない）を介して嵌合させて組立てられている。
このディスク収納ケースによれば、ディスクを上記開口部を介して挿入した場合、ディスクの両側面がストッパ３６と圧接して、ディスクが容易に脱落しないようになる。
【０００３】
【発明が解決しようとする課題】
しかし、このような従来のＭＤ用ディスク収納ケースは、各部品の別々の製造、その後の組立ての手数などの理由により、製造コストが増大するという問題があった。
そしてこの問題点は、ケースカセット入りディスクにおいても同様であった。
本発明は上記事情に鑑みてなされたものであって、従来、ディスク収納ケースのために必要としていた上記３点の部品を一体に成形することができると共に、簡単に組立てうるディスク収納ケースを提供することを目的とする。
【０００４】
【課題を解決するための手段】
上記課題を解決するために、請求項１の発明では、
ミニディスク等のケースカセット入りディスクを投入可能な挿入口を開口し、内周壁に前記ケースカセットに形成された凹部に係脱自在な突部からなるディスク用ストッパを有してなる箱型のディスク収納ケースにおいて、
前方側を挿入口側とし、外周に沿って左右側壁部および後方壁部を立設したケース本体と、
ケース本体の周壁の後側壁部に薄肉に形成されたヒンジ部を介して一体に連接され、左右側壁部に嵌め込まれる左右側方壁を有する蓋部と、ケース本体に蓋部を係止する係止手段とからなっており、
ディスク用ストッパが、蓋体の左右側方壁に一体に形成されて中央に向かって突設する帯状片からなっており、該帯状片を、左右に設けられた略円弧状の一対の突出基部と中央に設けられて最も内側に突出された円弧状の中央突部とに曲成しており、前記中央突部と突出基部との連接部分を薄肉に設定して中央基部が撓みうるように形成してなり、
前記ディスク挿入時に前記中央突部を撓ませてケースカセット入りディスクの凹部と整合する位置まで通し、該凹部と前記中央突部が整合すると付勢力で突入して係止してなる、という技術的手段を講じている。
【０００５】
また、請求項２の発明では、
ディスク用ストッパが、請求項１の蓋体の左右側方壁に代えて、ケース本体の左右側方壁に一体に形成されて中央に向かって突設する帯状片からなっており、該帯状片を、左右に設けられた略円弧状の一対の突出基部と中央に設けられて最も内側に突出された円弧状の中央突部とに曲成しており、前記中央突部と突出基部との連接部分を薄肉に設定して中央基部が撓みうるように形成してなり、
前記ディスク挿入時に前記中央突部を撓ませてケースカセット入りディスクの凹部と整合する位置まで通し、該凹部と前記中央突部が整合すると付勢力で突入して係止してなる、という技術的手段を講じている。
ここで、請求項１および請求項２の発明において、ストッパは、蓋体の場合に左右側方壁のいずれか一方であってもよく、またケース本体の場合に左右側壁部のいずれか一方であってもよい。
【０００６】
請求項３の発明では、
側壁部が、蓋体の外周縁より内側で立設し蓋部の先端縁に沿って外向きの段部を有する隆起部を有しており、連結時にこれと対応する周壁の左右側方部に上記段部と係合する内向きの段部を有する隆起部を設けてこれらを係止手段となし、蓋体とケース本体の連結時に周壁の左右側方部の隆起部と蓋体の外周縁との間に長手方向に延びる溝部を形成してなる、という技術的手段を講じている。
【０００７】
【発明の実施の形態】
以下に、本発明のディスク収納ケースの好適実施例について図面を参照しながら説明する。
図１に示すディスク収納ケース１は、ケース本体１０にヒンジ部８を介して連接された蓋体２とからなっている。
【０００８】
ケース本体１０は、矩形の広面からなるケース本体基板１１と、その前方辺を除いた３辺、すなわち左右一対の側方辺と、前方辺と対峙する後側壁部のそれぞれに沿って平面コ字状に立上り、左右側壁部１２、１３と後側壁部１４とからなる周壁を有している。
【０００９】
このケース本体１０の後側壁部１４には、断面略ＶまたはＵ字状の溝（肉薄部）からなるヒンジ部８が一体に連接されている。
そしてこのヒンジ部８を介して、上記ケース本体１０の左右側壁部１２、１３の内壁面にそれぞれ嵌合する一対の左右側方壁４、５が蓋基板３上に立設された蓋体２が連接されている。
【００１０】
次に、蓋体２の左右側方壁４、５の内面でヒンジ部８近傍にはストッパ６がそれぞれ１個ずつ対向して設けられている。
このストッパ６は、図２および図３に一例を示すように、帯状片を、左右に設けられた略円弧状の突出基部６ａ、６ｃと中央に設けられて最も内側に突出された円弧状の中央突部６ｂとに曲成しており、該中央突部６ｂと突出基部６ａ、６ｃとの連接部分６ｅ、６ｆが薄肉に設定されている。
【００１１】
従って、中央突部６ｂが後述のようにケースカセットの両サイドで押圧されたとき、図４に示すように弾性的に窪みつつケースカセット（図中ＭＤで一方の稜線を示す）の両サイドの下側に形成された凹部に突入して係合保持するようになっている。
このストッパ６は、蓋体２の左右側方壁４、５に一体的に形成され、ディスク収納ケースの成形時に同時に成形される。
【００１２】
この実施例では、図２（ａ）に明瞭に示すように、ストッパ６の背面となる左右側方壁４、５に上記ストッパ６を一体に形成するための金型抜取り用の孔７が形成されている。
この金型抜取り用の孔７は、上記構成に代えて図２（ｂ）に示すように、ストッパ６の下側の基板３に金型抜取り用の孔７を形成してもよい。
【００１３】
本実施例では、さらに図５（ａ）に示すように、左右側方壁４、５が蓋体の基板３の外周縁より内側で立設しており、先端縁に沿って外向きの段部を有する外向き係止部４ａ、５ａを有しており、連結時にこれと対応する周壁の左右側壁部１２、１３に上記段部と係合する内向きの段部を有する内向き係止部１２ａ、１３ａを設けている。
【００１４】
そして、蓋体２とケース本体１０の連結時に左右側方壁４、５で前記外向き係止部４ａ、５ａと内向き係止部１２ａ、１３ａの係合箇所と蓋基板３の外周縁との間に長手方向に延びる一連の溝部が形成できるようになっている。
これにより、図５（ｃ）に示す従来構成のように、左右側壁部１２、１３の形状を内向き隆起部１２ａ、１３ａから更に基板２の外周縁に衝合するまで延出する片１２ｂ、１３ｂを設けないで溝部を形成しているので、構造が簡単になる。
【００１５】
また、図５（ｂ）に示すように、蓋体２とケース本体１０の連結時に左右側方壁４、５で前記外向き係止部４ａ、５ａと内向き係止部１２ａ、１３ａで係合して、蓋基板３の外周縁との間に溝部ができないように密着形成してもよい。
あるいは、左右側方壁４、５と左右側壁部１２、１３との接触面に凹凸係合する凹部と凸部を設ける係止手段を設けてもよい。
その他、公知の係止手段を用いることができる。
【００１６】
上記実施例では、ストッパ６を蓋体２に設けた場合を例示したが、図７に示すようにケース本体側に設けてもよい。
この場合、ケース本体の左右側壁部１２、１３の内面で後方辺近傍にストッパ６がそれぞれ１個ずつ対向して設けられる。
なお、ストッパ６の位置に対応する蓋体２の左右側方壁４、５にはケース本体と蓋体とを組み合わせたときにストッパ６が左右側方壁４、５により重なったり覆われたりしないように窓部または切欠き部を形成することができる。
【００１７】
本実施例の場合の係止手段は、図７に示すようにケース本体の周壁の左右側壁部の内面にそれぞれ一対の係合凹部２１が互いに離間して設けられている。
これら一対の係合凹部２１に対応して蓋体の左右側方壁４、５には一対の係合凸部２２がそれぞれ設けられていて、蓋体２をケース本体１０に組み合わせるとき係合凹部２１と係合凸部２２が係合し蓋体２とケース本体１０とを強固に固定、保持するようになっている。
なお、この第２の係合凸部２２は下面を斜めに形成すれば第１の係合凹部２１とスムーズに摺接、嵌合し得る。
【００１８】
上記実施例ではミニディスク（ＭＤ）を収納するケースについて説明したが、各種の磁気または光学ディスクを収納するケースであってもよい。
また、上記実施例ではストッパの形状としては１または複数の帯状の突部からなるものであってもよく、例えば図６に示すように１個の突部からなるものであってもよい。
また、ストッパの突部の形状は図示例に限定されるものではなく、復帰可能に撓むものであればその突出形状は特に限定されるものではない。
その他、要するにこの発明の要旨を変更しない範囲で種々設計変更しうること勿論である。
【００１９】
【発明の効果】
以上詳述した如く、本発明のディスク収納ケースによれば、従来、ディスク収納ケース製造のために別体に準備していたストッパをケースの成形工程で同時に成形することができ、しかも組立ての手間をほとんど必要としないから、製造コストの著しい低減を図ることができる。
なお、本発明のディスク収納ケースはディスク収納ケースに限らず、あらゆる種類のディスクの収納ケースに適用することができる。
【図面の簡単な説明】
【図１】  本発明の１実施例に係わるディスク収納ケースの斜視図。
【図２】  図１に示すディスク収納ケースのストッパ部分の斜視図。
【図３】  図２に示すディスク収納ケースのストッパ部分の平面図。
【図４】  図３に示すディスク収納ケースのストッパの動作を説明するための平面図。
【図５】  ケース本体と蓋体との合体時の係合状態を説明するための断面図であって（ａ）は本実施例の構成、（ｂ）は異なる実施例の構成、（ｃ）は従来の構成。
【図６】  図１に示すディスク収納ケースのストッパ部分の他の例を示す斜視図。
【図７】  ストッパをケース本体に設けた場合の斜視図。
【図８】  従来のミニ・ディスク収納ケースの分解斜視図。
【符号の説明】
１…ディスク収納ケース、
２…蓋体、
３…蓋体基板、
４、５…左右側方壁、
４ａ、５ａ…外向き隆起部
６…ストッパ
６ａ、６ｂ、６ｃ…円弧、
６ｅ、６ｆ…連結部、
７…孔、
８…ヒンジ部、
１０…ケース本体、
１１…本体基板
１２、１３…左右側壁部、
１２ａ、１３ａ…内向き隆起部
１４…後側壁部、
【図１】
0003802647.tif 000002
【図２】
0003802647.tif 000003
【図３】
0003802647.tif 000004
【図４】
0003802647.tif 000005
【図５】
0003802647.tif 000006
【図６】
0003802647.tif 000007
【図７】
0003802647.tif 000008
【図８】
0003802647.tif 000009